(57)【特許請求の範囲】
【請求項１】
勾配を有する屋根部上に配された接続線を建物内に引き込むための配線引き込み構造であって、
前記屋根部に設けられ、前記接続線が挿通される屋根穴部と、
前記屋根部の裏面側に配置され、前記屋根穴部に挿通された前記接続線を収容するための配線収容部材とを備え、
前記配線収容部材は、
前記屋根穴部に連なって当該屋根穴部から前記屋根部の上流方向に延在し、前記屋根穴部から浸入する水を受けるとともに、浸入した水を当該屋根穴部から外部に自然排水させるための排水案内面と、
前記排水案内面の上流端部側の位置に設けられ、前記屋根穴部に挿通された前記接続線を、前記排水案内面に沿って前記建物の内部に引き込むための線引込開口とを含む、配線引き込み構造。
【請求項２】
前記排水案内面は、
前記屋根部の表面側に位置する前記屋根穴部の下流側端部から、水平方向または斜め上方向に延在する第一の案内面と、
前記第一の案内面の上流側端部に連結され、前記屋根部の勾配方向に沿って延在する第二の案内面とを有している、請求項１に記載の配線引き込み構造。
【請求項３】
前記配線収容部材は、Ｕ字状断面を有しており、前記排水案内面を有する底壁と、対向する２つの側壁とを含む、請求項１または２に記載の配線引き込み構造。
【請求項４】
前記配線収容部材は、筒形状であり、
前記排水案内面は、前記配線収容部材の内面に含まれる、請求項１または２に記載の配線引き込み構造。
【請求項５】
前記線引込開口は、前記排水案内面よりも上方に位置する、請求項１〜４のいずれかに記載の配線引き込み構造。
【請求項６】
前記屋根部上における、前記屋根穴部の周囲の少なくとも一部には、前記屋根穴部への水の浸入を防止または低減するための立壁部が設けられている、請求項１〜５のいずれかに記載の配線引き込み構造。
【請求項７】
前記立壁部は、前記屋根穴部の下流位置に配置されており、勾配方向において前記屋根穴部に近い側が上流となり、前記屋根穴部から遠い側が下流となるように傾斜した傾斜面を有している、請求項６に記載の配線引き込み構造。
【請求項８】
前記屋根部上には、前記接続線が接続された設備機器が設けられており、
前記屋根穴部は、前記設備機器によって覆われている、請求項１〜７のいずれかに記載の配線引き込み構造。
【発明の詳細な説明】
【技術分野】
【０００１】
本発明は、配線引き込み構造に関し、特に、建物の屋根部上に配された接続線を建物内に引き込むための配線引き込み構造に関する。
【背景技術】
【０００２】
建物の屋根上に、たとえば太陽光発電装置などの設備機器が設置されることがある。このような場合、屋根部上に配された接続線（たとえば電力線）は、通常、屋根部に設けられた屋根穴部から建物内に引き込まれる。
【０００３】
屋根穴部から建物内への雨水の浸入を防止するために、特開２００９−６０６８７号公報（特許文献１）には、ロックナットの締め付けにより、屋根材と屋根下地材間でスペーサパッキンが密着挟持される構造が開示されている。また、たとえば特開２０１２−２５７３５４号公報（特許文献２）には、屋根の傾斜面に設けられた引き込み穴に設置されるカバー部材に、傾斜方向下向きに開口する開口部を有するカバー部が含まれることが開示されている。
【０００４】
また、特開２０１１−２０８４４６号公報（特許文献３）に示されるように、配線挿入用の穴とこの穴を覆うカバー材とが予め設けられた配線瓦も知られている。
【先行技術文献】
【特許文献】
【０００５】
【特許文献１】特開２００９−６０６８７号公報
【特許文献２】特開２０１２−２５７３５４号公報
【特許文献３】特開２０１１−２０８４４６号公報
【発明の概要】
【発明が解決しようとする課題】
【０００６】
上述のように、通常は、雨水が屋根穴部から浸入するのを防止するために各種措置が施される。しかしながら、たとえばシーリング材のみによる止水では、シーリング材の劣化に伴い、長期にわたり止水性を維持することは困難である。また、カバー材や水切りにより防水性を高めようとすると、構成が複雑となり部品点数も増えてしまう。さらには、部品点数が増えるとカバー材等が目立ち、結果として美観を損ねてしまう場合もある。
【０００７】
本発明は、上記のような課題を解決するためになされたものであって、その目的は、簡易な構成で、長期間にわたり建物内部への漏水を防止することのできる配線引き込み構造を提供することである。
【課題を解決するための手段】
【０００８】
この発明のある局面に従う配線引き込み構造は、勾配を有する屋根部上に配された接続線を建物内に引き込むための配線引き込み構造であって、屋根部に設けられ、接続線が挿通される屋根穴部と、屋根部の裏面側に配置され、屋根穴部に挿通された接続線を収容するための配線収容部材とを備える。配線収容部材は、排水案内面と、線引込開口とを含む。排水案内面は、屋根穴部に連なって当該屋根穴部から屋根部の上流方向に延在し、屋根穴部から浸入する水を受けるとともに、浸入した水を当該屋根穴部から外部に自然排水させる。線引込開口は、排水案内面の上流端部側の位置に設けられる。これにより、屋根穴部に挿通された接続線は、排水案内面に沿って建物の内部に引き込まれる。
【０００９】
好ましくは、排水案内面は、屋根部の表面側に位置する屋根穴部の下流側端部から、水平方向または斜め上方向に延在する第一の案内面と、第一の案内面の上流側端部に連結され、屋根部の勾配方向に沿って延在する第二の案内面とを有している。
【００１０】
好ましくは、配線収容部材は、Ｕ字状断面を有しており、排水案内面を有する底壁と、対向する２つの側壁とを含む。
【００１１】
あるいは、配線収容部材は、筒形状であってもよい。この場合、排水案内面は、配線収容部材の内面に含まれる。
【００１２】
好ましくは、線引込開口は、排水案内面よりも上方に位置する。
【００１３】
好ましくは、屋根部上における、屋根穴部の周囲には、屋根穴部への水の浸入を防止または低減するための立壁部が設けられている。
【００１４】
立壁部は、屋根穴部の下流位置に配置されていてもよい。この場合、立壁部は、勾配方向において屋根穴部に近い側が上流となり、屋根穴部から遠い側が下流となるように傾斜した傾斜面を有していることが望ましい。
【００１５】
好ましくは、屋根部上には、接続線が接続された設備機器が設けられており、屋根穴部は、設備機器によって覆われている。
【発明の効果】
【００１６】
本発明によれば、簡易な構成で、長期間にわたり建物内部への漏水を防止または低減することができる。
【図面の簡単な説明】
【００１７】
【図１】本発明の実施の形態１に係る配線引き込み構造を模式的に示す模式断面図である。
【図２】本発明の実施の形態１における配線収容部材の構成例を示す斜視図である。
【図３】本発明の実施の形態１における配線収容部材の一部を拡大して示す模式断面図である。
【図４】本発明の実施の形態１における立壁部の構成例を示す上面図である。
【図５】本発明の実施の形態１における立壁部の他の構成例を示す上面図である。
【図６】本発明の実施の形態１の変形例に係る配線収容部材の構成を部分的に示す模式断面図である。
【図７】本発明の実施の形態２における配線収容部材の構成例を示す模式断面図である。
【図８】本発明の実施の形態２における配線収容部材の構成例を示す斜視図である。
【図９】本発明の実施の形態２の変形例における配線収容部材の構成例を示す模式断面図である。
【図１０】本発明のさらに他の実施の形態に係る配線引き込み構造を部分的に示す模式断面図である。
【図１１】図１０に示す配線引き込み構造を、屋根部の表面側から示した図である。
【発明を実施するための形態】
【００１８】
本発明の実施の形態について図面を参照しながら詳細に説明する。なお、図中同一または相当部分には同一符号を付してその説明は繰返さない。
【００１９】
＜実施の形態１＞
本発明の実施の形態１に係る配線引き込み構造について説明する。
【００２０】
図１は、本発明の実施の形態１に係る配線引き込み構造を模式的に示す模式断面図である。図１を参照して、建物１は、勾配を有する屋根部２を備えている。屋根部２は、たとえば切妻屋根や片流れ屋根が想定される。屋根部２としては、野地板などの屋根下地材と、屋根下地材上に配置される、瓦などの屋根仕上げ材とを含む。図１には、屋根部２の勾配方向のうち下流方向が、矢印Ａ１として示されている。
【００２１】
屋根部２の下方には、屋根裏空間としての小屋裏空間６を挟んで、水平方向に広がる天井部１４が配置されている。屋根部２の下流端部側（軒先側）の下方には、樋１５が配置されている。図１に示される空間７は、天井部１４、外壁１３および床部（図示せず）で囲まれる居室空間である。
【００２２】
本実施の形態において、屋根部２上には、太陽光発電装置を構成する太陽光パネル８が設置されている。この場合、太陽光パネル８からの電力線１０が、屋根部２に設けられた屋根穴部２０に挿通されて、建物１内に引き込まれる。なお、図１では、電力線１０が、屋根部２の下流側から屋根穴部２０に引き込まれる例が示されているが、限定的ではない。
【００２３】
このような場合、屋根穴部２０は、太陽光パネル８によって覆われているが、屋根部２と太陽光パネル８との間の狭い空間内に吹き込んだ雨水が屋根穴部２０に達することがある。したがって、一般的には、上述したように、屋根穴部２０自体への水の浸入を防止するための各種措置がとられる。
【００２４】
これに対し、本実施の形態では、屋根穴部２０への水の浸入を想定して、屋根部２の裏面側に、配線収容部材３が配置される。配線収容部材３は、屋根穴部２０に挿通された電力線１０を収容する。配線収容部材３は、排水案内面３２と線引込開口３６とを含む。
【００２５】
排水案内面３２は、屋根穴部２０に連なってこの屋根穴部２０から屋根部２の上流方向に延在している。これにより、排水案内面３２は、屋根穴部２０から浸入する水を受けるとともに、この屋根穴部２０からの自然排水を案内する。より具体的には、排水案内面３２は、屋根穴部２０の位置が最下位置となるように、屋根部２の上流方向に延在する。
【００２６】
線引込開口３６は、排水案内面３２の上流端部側の位置に設けられている。これにより、屋根穴部２０に挿通された電力線１０は、排水案内面３２に沿って上流方向に導かれ、線引込開口３６から建物内部である小屋裏空間６に引き込まれる。なお、屋根部２の裏面側に直接居室がある場合には、屋根裏空間は、小屋裏空間６ではなく居室空間であってもよい。
【００２７】
以下に、本実施の形態における配線収容部材３の構成および配置例について、詳細に説明する。
【００２８】
図２は、本発明の実施の形態１における配線収容部材３の構成例を示す斜視図である。図３は、配線収容部材３の一部を拡大して示す断面図である。図２には、配線収容部材３の取付け状態における屋根部２との位置関係を表わすために、二点鎖線で屋根部２の表面（上面）２ａが示され、一点鎖線で屋根部２の裏面（下面）２ｂが示されている。また、屋根部２の表面２ａにおける屋根穴部２０の輪郭が、符号２０ａとして示され、屋根部２の裏面２ｂおける屋根穴部２０の輪郭が、符号２０ｂとして示されている。
【００２９】
屋根穴部２０は、典型的には、屋根部２の勾配角度に関わらず、屋根部２の表面２ａ側から裏面２ｂ側へ向かって水平方向よりも若干斜め上方向に屋根部２を貫通するように設けられている。具体的には、屋根穴部２０の形状（輪郭）が矩形形状である場合、屋根穴部２０を囲む４つの切断面のうち少なくとも下流側の面２ｃは、屋根部２の表面２ａ側から裏面２ｂ側へ向かって若干斜め上方向に延在している。
【００３０】
図１および図２を参照して、配線収容部材３は、屋根部２の勾配方向に沿って長さを有する部材であり、たとえば隣り合う垂木１６間に配置される。配線収容部材３は、たとえば鋼製であり、コの字型すなわちＵ字状断面を有している。つまり、配線収容部材３は、底壁３１と、対向する２つの側壁３３，３４とを含む。
【００３１】
底壁３１は、屋根部２の裏面側において勾配方向に沿って延在するが、その下流側は、屋根穴部２０に向かって折り曲げられている。図３を参照して、底壁３１のうち折り曲げられた部分３１ａは屋根穴部２０に連通されるため、ここではこの部分を「連通部」という。なお、本実施の形態では、底壁３１の折り曲げ位置が底壁３１の長手方向中央部よりも下流側であることとするが、限定的ではない。
【００３２】
配線収容部材３は、底壁３１の連通部３１ａの裏面（下面）が、屋根穴部２０の下流側の面（切断面）２ｃに当接した状態で配置される。連通部３１ａは、屋根部２の表面２ａ側にまで延在していることが望ましい。より具体的には、底壁３１の連通部３１ａは、屋根部２の表面２ａ側に位置する屋根穴部２０の下流側端部２０ｃ（すなわち、屋根部２の表面２ａと屋根穴部２０の切断面２ｃとの境界位置）から上流側へ向けて、斜め上方向に延在することが望ましい。なお、底壁３１の連通部３１ａは、少なくとも水平方向に延在していればよい。この場合、屋根穴部２０は、略水平方向に屋根部２を貫通するように設けられる。
【００３３】
本実施の形態では、底壁３１の上面が、上記排水案内面３２として機能している。そのため、排水案内面３２は、底壁３１の連通部３１ａの上面により形成される第一の案内面３２１と、底壁３１の残りの部分の上面により形成される第二の案内面３２２とを含む。すなわち、第一の案内面３２１は、屋根穴部２０の下流側端部２０ｃから水平方向または斜め上方向に延在し、第二の案内面３２２は、第一の案内面３２１の上流側端部に連結され、屋根部２の勾配方向に沿って延在する。これにより、屋根穴部２０に浸入した水は、配線収容部材３の第一および第二の案内面３２１，３２２上を行き来し、重力によりそのまま屋根穴部２０から外部（屋根部２上）に排水される。
【００３４】
なお、図３では、第二の案内面３２２は、屋根部２の裏面２ｂと平行に配置されているが、屋根部２の勾配角度に近い角度で傾斜していれば、平行でなくてもよい。また、本実施の形態では、第一の案内面３２１および第二の案内面３２２の双方とも、屋根部２の勾配方向に沿う断面形状が直線状である例を示しているが、第一の案内面３２１と第二の案内面３２２とによって適切に排水が案内できれば、少なくともいずれか一方の断面形状は滑らかな曲線状であってもよい。あるいは、第一の案内面３２１および第二の案内面３２２の双方の断面形状が直線状であっても、これらの連結部分が曲線状とされてもよい。
【００３５】
図１および図２に示されるように、配線収容部材３は、上流端部側に、後壁３５をさらに含んでいる。後壁３５は、底壁３１および側壁３３，３４と接続されている。側壁３３，３４および後壁３５のうち、少なくとも側壁３３，３４の上端面は、略面一形状であることが望ましい。この場合、配線収容部材３は、これら上端面が屋根部２の裏面２ｂに当接された状態で、固定される。なお、配線収容部材３は、固定部材（図示せず）によって、屋根部２に直接固定されてもよいし、隣り合う１つまたは２つの垂木１６に固定されてもよい。
【００３６】
本実施の形態において、線引込開口３６は、この後壁３５の下端ではない位置、すなわち排水案内面３２よりも上方の位置に形成される。そのため、線引込開口３６の下方に位置する壁によって、排水案内面３２の上流部分が閉塞される。したがって、屋根穴部２０からの水の流量が多い場合、屋根裏空間６内の構造躯体の位置などにより配線収容部材３の長さが十分に取れない場合、あるいは、屋根部２の勾配が緩やかな場合であっても、線引込開口３６から小屋裏空間６への漏水のリスクを低減することができる。
【００３７】
小屋裏空間６への漏水のリスクをさらに低減するために、線引込開口３６の隙間に、シーリング材などの止水処理がさらに施されていてもよい。線引込開口３６は、屋根部２裏の小屋裏空間６内に位置するため、止水のためにシーリング材を設けても、屋根穴部２０自体にシーリング材が設けられる場合と異なり、紫外線や風雨の影響を直接受けることがない。したがって、この場合、シーリング材の劣化が抑えられる。また、線引込開口３６においても多少の劣化が起こり得るとしても、小屋裏空間６において、定期的にシーリング材の劣化の有無を確認したり、劣化部分を補修したりすることが可能である。
【００３８】
なお、線引込開口３６は、後壁３５に形成されることとしたが、限定的ではない。たとえば、配線収容部材３は、後壁３５の代わりに、排水案内面３２の上流部分を閉塞する部分（閉塞部）を有しているだけでもよい。この場合、たとえば、排水案内面３２の上流部分に、側壁３３，３４よりも低い後壁または凸部を設け、当該後壁または凸部と屋根部２の裏面２ｂとの間（隙間）を線引込開口３６としてもよい。または、配線収容部材３の長さを十分に取れる場合には、閉塞部を含まなくてもよい。つまり、側壁３３，３４の上流側端部と、屋根部２の裏面２ｂとで囲まれる開口部が、線引込開口とされてもよい。
【００３９】
あるいは、線引込開口は、排水案内面３２の上流端部側の位置にさえ設けられていれば、底壁３１および側壁３３，３４のうちのいずれか１つに設けられた貫通孔であってもよい。なお、排水案内面３２の「上流端部側の位置」とは、上流端部の位置に限定されず、少なくとも屋根穴部２０よりも上流側の位置であれば、排水案内面３２の中央部付近の位置であってもよい。
【００４０】
上述のように、本実施の形態では、屋根穴部２０に雨水が浸入することを前提として、雨水の排水経路を形成する配線収容部材３が設けられる。したがって、屋根穴部２０をシーリング材等により止水したり、カバー材や水切りにより防水したりしていなくても、小屋裏空間６（配線収容部材３の外部）への雨水の浸入を効率的に防止または低減することができる。
【００４１】
また、配線収容部材３は、箱型（断面Ｕ字形状）の簡易な構造であるため、防水性の高いカバー材や水切りを用いるよりも、コストダウンを図ることができる。
【００４２】
ここで、本実施の形態の配線収容部材３は、その内部への雨水の浸入を前提とした構成であるものの、屋根部２の下流側から屋根穴部２０への雨水の吹き込みを防止または低減するために、屋根部２上に立壁部５が設けられていてもよい。立壁部５については、図４をさらに参照して説明する。図４には、立壁部５が屋根部２上に設置された状態を、上から見た図が示されている。
【００４３】
立壁部５は、屋根部２上における屋根穴部２０の下流位置に設けられている。立壁部５は、図１に示されるように、屋根部２と太陽光パネル８との高さ範囲内において、屋根部２の表面２ａから上方に立ち上がっている。立壁部５は、たとえばその下端部が折り曲げられており、この折り曲げ部５３が屋根部２に固定される。立壁部５の固定には、接着剤など、公知の固定手段が用いられてよい。
【００４４】
取付け状態における立壁部５の幅方向（勾配方向に直交する方向）の寸法Ｌ２は、屋根穴部２０の幅寸法Ｌ１よりも大きい。なお、屋根穴部２０の輪郭が円形の場合には、屋根穴部２０の幅寸法Ｌ１はその径に等しいものとする。
【００４５】
立壁部５は、たとえば、平面視において略Ｌ字形状を有しており、第１壁５１と第２壁５２とによって形成されている。立壁部５は、第１壁５１と第２壁５２との接続部が屋根穴部２０に最も近接するように配置される。すなわち、第１壁５１および第２壁５２は、ともに、勾配方向において屋根穴部２０に近い側が上流となり、屋根穴部２０から遠い側が下流となるように傾斜した傾斜面５０を有している。傾斜面５０は、屋根穴部２０側を向いて上下方向（より限定的には、屋根部２の表面２ａに直交する方向）に延在している。これにより、屋根穴部２０から排出された水は傾斜面５０に沿って流下されるため、屋根穴部２０からの排水が立壁部５によって遮られることがない。
【００４６】
なお、立壁部５は、屋根穴部２０側に傾斜面５０を有しさえすれば、図４に示した形状に限定されず、たとえば第１壁５１および第２壁５２の一方だけを有していてもよい。図５には、立壁部５が、第１壁５１のみによって形成された例が示されている。
【００４７】
また、立壁部５は、屋根部２の下流側から屋根穴部２０への雨水の吹き込みを防止または低減するために、屋根穴部２０の下流位置に設けられることとしたが、屋根穴部２０への水の浸入を防止または低減できれば、屋根穴部２０の周囲の他の位置に設けられてもよい。立壁部５を屋根穴部２０の周囲の少なくとも一部に配置することによって、屋根穴部２０へ向かう水の流路を屋根穴部２０から遠ざける方向に変更することができる。なお、屋根穴部２０の上流位置に配置する場合には、屋根穴部２０の幅寸法Ｌ１よりも大きい幅寸法の立壁部５が、勾配方向において屋根穴部２０に近い側が下流となり、屋根穴部２０から遠い側が上流となるように傾斜した傾斜面を有していればよい。
【００４８】
（変形例）
図６は、本実施の形態の変形例に係る配線収容部材３Ａの構成を部分的に示す模式断面図である。図１〜図３に示した配線収容部材３においては、底壁３１が折り曲げられることによって連通部３１が形成されたが、本変形例の配線収容部材３Ａにおいては、底壁３１上に、連通部として機能する板状部材３７が連結させている。この場合、底壁３１は、屋根穴部２０の下方においても屋根部２の勾配方向に沿って延びていてもよい。
【００４９】
＜実施の形態２＞
本発明の実施の形態２に係る配線引き込み構造について説明する。
【００５０】
上記実施の形態１では、Ｕ字状断面を有する箱型の配線収容部材が用いられたのに対し、本実施の形態では、筒形状の配線収容部材が用いられる。以下に、図７および図８を参照して、実施の形態１と異なる部分のみ詳細に説明する。
【００５１】
図７および図８は、それぞれ、本発明の実施の形態２において、取付け状態における配線収容部材４の構成例を示す断面図および斜視図である。図７および図８を参照して、配線収容部材４は、たとえば円筒形状であり、固定部材９によってたとえば垂木１６に固定されている。この場合、屋根部２の屋根穴部２０の輪郭は、円形または楕円形である。
【００５２】
本実施の形態では、配線収容部材４自体が途中位置において折り曲げられている。具体的には、配線収容部材４の長手方向中央部よりも下流側の位置において、鈍角曲げされている。ここでは、配線収容部材４のうち、折り曲げ位置よりも下流側の部分を第１筒状部４１といい、折り曲げ位置よりも上流側の部分を第２筒状部４２という。
【００５３】
配線収容部材４の第１筒状部４１は、屋根穴部２０に挿通されて、屋根部２の表面２ａ側にまで延在していることが望ましい。第１筒状部４１は、下流側（表面２ａ側）から上流側（裏面２ｂ側）へ向けて、水平方向または斜め上方向に延在している。第２筒状部４２は、第１筒状部４１の上流側端部に連結され、屋根部２の勾配方向に沿って配置される。
【００５４】
本実施の形態では、配線収容部材４の内面の一部（下方に位置する円弧面）が、排水案内面４３として機能している。そのため、排水案内面４３には、第１筒状部４１の内周面の一部により形成される第一の案内面４３１と、第２筒状部４２の内周面の一部により形成される第二の案内面４３２とが含まれる。したがって、本実施の形態においても、第一の案内面４３１は、屋根穴部２０の下流側端部２０ｃから水平方向または斜め上方向に延在し、第二の案内面４３２は、第一の案内面４３１の上流側端部に連結され、屋根部２の勾配方向に沿って延在する。
【００５５】
屋根部２上に配された電力線１０は、屋根部２上に露出された第１筒状部４１の開口部（下流側開口部）から配線収容部材４内に挿通されて、第２筒状部４２の開口部（上流側開口部）から小屋裏空間６に引き出される。本実施の形態では、配線収容部材４の第２筒状部４２の開口部が、線引込開口４４とされる。なお、線引込開口４４としての配線収容部材４の上流側開口部においても、電力線１０の周囲にシーリング材４５が配置されてもよい。
【００５６】
（変形例）
図９は、本実施の形態の変形例における配線収容部材４Ａの構成を示す模式断面図である。本変形例においても、配線収容部材４Ａは筒形状である。
【００５７】
図９に示されるように、配線収容部材４Ａは、上流端部側の位置において折り曲げられている。したがって、配線収容部材４Ａの大部分が、屋根穴部２０に連通される第１筒状部４１によって構成される。この場合、配線収容部材４は、第１筒状部４１が、屋根部２の上流側へ向けて斜め上方向に傾斜する状態となるよう取付けられる。図９では、水平方向が想像線にて示されている。第２筒状部４２は、たとえば上下方向（略垂直方向）に延在している。
【００５８】
この場合、第１筒状部４１の内面の一部のみによって、排水案内面４３が構成される。つまり、排水案内面４３は、２つの案内面を有することなく一続きの案内面によって形成されてもよい。また、第２筒状部４２が上下方向に延在しているため、第２筒状部４２自体の壁面によって排水案内面４３の上流部分が閉塞される。
【００５９】
本変形例によれば、第２筒状部４２の開口部を塞がなくても、小屋裏空間６への浸水を防止することができる。したがって、より簡単に配線収容部材４を構成することができる。なお、第２筒状部４２の延在方向は、少なくとも、水平方向に対し、屋根部２の勾配角度以上であればよい。
【００６０】
本実施の形態およびその変形例においては、排水案内面４３によって屋根穴部２０からの自然排水が適切に案内できれば、筒状の配線収容部材４，４Ａは、少なくとも一部に可撓部分を有し、小屋裏空間６内の構造躯体を迂回するように配置されてもよい。
【００６１】
以上のように、各実施の形態に示した配線引き込み構造によれば、屋根穴部２０から配線収容部材（３，３Ａ，４，４Ａ）内に浸入した水が、線引込開口（３６，４４）まで到達しないようにすることができる。また、配線収容部材内に浸入した水をそのまま屋根穴部２０から自然排水することができる。したがって、簡易な構成で、長期間にわたり建物内部への漏水を防止することができる。
【００６２】
なお、各実施の形態および変形例では、配線収容部材の下流側に位置する連通部の下流側端部は、屋根穴部２０に完全に挿通され、その端縁が屋根部２の表面２ａに露出される構成とした。しかしながら、連通部の下流側端部は、排水案内面が屋根穴部２０に連なるように配置されればよく、屋根穴部２０に挿通されなくてもよい。たとえば、屋根部２の切断面２ｃと排水案内面とが段差なく繋がっていてもよい。
【００６３】
あるいは、配線収容部材の連通部の端縁は、屋根部２の表面２ａ上における屋根穴部２０の下流位置にまで延びていてもよい。この場合の配線引き込み構造の一例について、図１０を参照して説明する。図１０に示される配線収容部材３Ｂの基本構成は、実施の形態１に示した箱型の配線収容部材３と同様であるが、配線収容部材３Ｂの底壁３１の下流側端部は、屋根部２の表面２ａ上に配置される延出部３８と、一体的かつ滑らかに連結されている。延出部３８は、屋根穴部２０を取り囲んだ状態で屋根部２の表面２ａ上に配置される、板状の被覆部３０の一部分として形成されていてもよい。
【００６４】
配線収容部材３Ｂのような構成の場合、図１０に示されるように、屋根穴部２０の貫通方向が屋根部２に対して直行する方向であるとしても、底壁３１の下流側端縁と屋根部２の表面２ａとの隙間からの、小屋裏空間６への漏水を防止することができる。このように、底壁３１の連通部３１ａの裏面は、屋根穴部２０の下流側の切断面２ｃに当接していなくてもよい。
【００６５】
また、屋根部２の表面２ａ上に被覆部３０が配置される場合、図１１に示されるように、被覆部３０の下流側端部を上方に折り曲げることによって、上述の立壁部５が形成されてもよい。なお、被覆部３０が存在しない場合であっても、延出部３８の下流側端部と立壁部５の折り曲げ部５３（図５）とを一体的に連結しておいてもよい。
【００６６】
また、建物１の屋根仕上げ材が陶器瓦であるような場合、屋根穴部２０は、屋根下地材にのみ設けられていてもよい。つまり、屋根部２は、屋根仕上げ材を含まず屋根下地材のみを含んでいてもよい。この場合、たとえば、太陽光パネル８からの電力線１０は、瓦同士の隙間から、屋根下地材上に配されてもよい。なお、屋根下地材は、表面側に配置されたアスファルトルーフィングなどの防水シートを含んでいる。そのため、屋根下地材にのみ屋根穴部２０が設けられる場合、屋根穴部２０からの排水経路は、防水面上に形成される。
【００６７】
また、上記各実施の形態では、屋根部２に設置された設備機器として、太陽光発電装置を構成する太陽光パネル８を例に示したが、これに限定されない。また、屋根部２上の設備機器と建物１内等に設置された機器とを接続する接続線は、電力線１０に限定されない。たとえば、接続線は、アンテナと通信機器とを接続する通信ケーブルなどであってもよいし、太陽熱温水装置と給湯器とを接続する給湯管のような管状部材であってもよい。
【００６８】
なお、上記各実施の形態に示したように、雨水の自然排水は、接続線が挿通される屋根穴部２０から行われることが望ましいが、場合によっては、接続線が挿通される屋根穴部２０とは別の屋根穴部（図示せず）から雨水の自然排水が行われてもよい。この場合、排水用の屋根穴部は、屋根穴部２０よりも下流位置に設けられ、この屋根穴部に配線収容部材の連通部が接続されればよい。なお、この排水用の屋根穴部にも、他の接続線が挿通されていてもよい。
【００６９】
また、各実施の形態および変形例を、適宜組み合わせてもよい。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７１】
１  建物、２  屋根部、３，３Ａ，３Ｂ，４，４Ａ  配線収容部材、５  立壁部、６  小屋裏空間、７  居室空間、８  太陽光パネル、９  固定部材、１０  電力線、１３  外壁、１４  天井部、１５  樋、１６  垂木、２０  屋根穴部、３０  被覆部、３１  底壁、３１ａ  連通部、３２，４３  排水案内面、３３，３４  側壁、３５  後壁、３６，４４  線引込開口、３７  板状部材（連通部）、３８  延出部、４１  第１筒状部、４２  第２筒状部、４５  シーリング材、５０  傾斜面、５１  第１壁、５２  第２壁、３２１，４３１  第一の案内面、３２２，４３２  第二の案内面。
【図１】
0006382683.tif 000002
【図２】
0006382683.tif 000003
【図３】
0006382683.tif 000004
【図４】
0006382683.tif 000005
【図５】
0006382683.tif 000006
【図６】
0006382683.tif 000007
【図７】
0006382683.tif 000008
【図８】
0006382683.tif 000009
【図９】
0006382683.tif 000010
【図１０】
0006382683.tif 000011
【図１１】
0006382683.tif 000012